(57)【要約】【課題】  水陸両用で使用でき、かつ、たとえ靴の内部が濡れても容易に乾かすことのできる靴を提供する。【解決手段】  靴１０は、靴底１１の少なくとも一部がワイヤメッシュ構造である。【選択図】      図１
2005218523.tif 000002
【特許請求の範囲】
【請求項１】
靴底の少なくとも一部をメッシュ構造とした、靴。
【請求項２】
前記メッシュは金属で構成されている、請求項１に記載の靴。
【請求項３】
前記靴は、足の甲を覆う部分を含む、請求項１または２に記載の靴。
【請求項４】
前記靴底の上には所定の厚さを有し、立体構造を有するメッシュ層が設けられる、請求項１から３のいずれかに記載の靴。
【請求項５】
前記メッシュ層の上には、中央に凸状に膨らんで湾曲している中敷きが載置される、請求項１から４のいずれかに記載の靴。
【発明の詳細な説明】
【技術分野】
【０００１】
この発明は靴に関し、特に、内部が濡れても容易に乾きうる靴に関する。
【背景技術】
【０００２】
従来の、靴底に通気部を設けた靴がたとえば下記特許文献１に開示されている。
【０００３】
特許文献１に開示された靴においては、合成樹脂を焼結し連続気孔を施したシート、または合成樹脂製の不織布に合成樹脂を含浸させたシートを靴底内に使用して外からの水や小石、汚れを通さず、靴内部の湿気や熱を放出する。
【特許文献１】特開２０００−１６６６０６号公報（段落番号００２２）
【発明の開示】
【発明が解決しようとする課題】
【０００４】
従来の、通気部を設けた靴は上記のように構成されていた。外からの水や小石、汚れを通さないため、内部は濡れにくいかもしれないが、靴の内部に入った水の排除は困難であるという問題があった。
【０００５】
この発明は、上記のような課題に着目してなされたもので、水陸両用で使用でき、かつ、たとえ靴の内部が濡れても容易に乾かすことのできる靴を提供することを目的とする。
【課題を解決するための手段】
【０００６】
この発明にかかる靴は、靴底の少なくとも一部がメッシュ構造である。
【０００７】
靴底の少なくとも一部がメッシュ構造であるため、メッシュを介して水が自由に靴の内部と外部とを移動できる。したがって、水陸両用で使用でき、かつ、たとえ靴の内部が濡れても容易に乾かすことのできる靴を提供できる。
【０００８】
メッシュは金属、または強化プラスティックで構成されているのが好ましい。
【０００９】
また、靴には足の甲を覆う部分が設けられているのが好ましい。
【００１０】
さらに好ましくは、靴底の上には所定の厚さを有する立体構造を有するメッシュ層が設けられる。靴底の上に立体構造を有するメッシュ層が設けられるため、靴を水から出せば、水はメッシュ層に保持されるため、足本体は乾いた状態に保持できる。
【００１１】
さらに好ましくは、メッシュ層の上には中央が凸状に膨らんで湾曲している中敷きが載置される。中央が凸状に湾曲している中敷きは、靴を地面につけると凸部が足の裏によって押されて扁平状態にされ、靴を上げると元の凸部が回復する。凸状が形成された状態で水分を裏面の凹部に集め、扁平状態に押すことによって水を靴底のワイヤメッシュから外部へ放出する。すなわち、足を地面につけて歩くことによって、中敷きがポンプになり、靴の内部に存在する水を外部へ排出できる。
【発明を実施するための最良の形態】
【００１２】
図１は、この発明の一実施形態にかかる、靴を幼児用の靴で具体化した場合の斜視図である。図１を参照して、幼児用靴１０は、幼児の足の下に位置する靴底部１１と、幼児の足の甲を覆う甲皮部１２と、甲皮部１２に連続し、幼児の足の甲の上部を覆う舌片部１３と、甲皮部１２に連続して、幼児の足の両側面を覆う側皮部１４とを備える。
【００１３】
幼児用靴１０は、側皮部１４の上の一方端部から舌片部１３に形成された空間を通って他方側の側皮部に延びる接続バンド１７を備える。接続バンド１７は側皮部１４の上の一方端部に固定され、他方端部は、平面ファスナー１８によって他方側の側皮部１４に固定される。従って、他方側の側皮部の面ファスナー１８を開くことによって、幼児の足を容易に靴１０の内部へ挿入することができる。
【００１４】
なお、図１に示すように、靴１０の甲皮部１２、側皮部１４ともにナイロン製のメッシュ状の布で構成されている。
【００１５】
次に靴１０の内部について説明する。図２は、図１に示した幼児用靴１０の靴底部１１と、その上に設けられるメッシュ層１５とを靴１０の上から見た図であり、図３は靴底１１をその裏面から見た図である。図２および図３を参照して、靴底部１１の幼児の足の指が載置される位置、土踏まずの位置、土踏まずの下部および土踏まずの反対側の位置にワイヤメッシュで構成された通気部が設けられる。ここで、足の指のうち、親指以外の指が載置される位置２１ａ〜２１ｃおよび土踏まず２４ａ〜２４ｃの部分には比較的大きなワイヤメッシュが設けられ、足の親指の位置２２や靴の先端部２３、土踏まずの下部２５および土踏まずの反対側の位置２６には複数の小さなワイヤメッシュ２１〜２６が設けられる。また、足の指の載置される位置の少し下方に貫通穴２７が設けられている。なお、メッシュのサイズは、小石や小さな異物が侵入しないような寸法に選ばれている。
【００１６】
また、図３を参照して、ワイヤメッシュ２１〜２６は、靴底１１において、外部に直接接触しないよう、周りを凸部で囲まれた凹部に設けられている（図３において、メッシュを囲う線は凹部を表している）。
【００１７】
このように、靴底１１の全面にわたって分散してワイヤメッシュが設けられているため、外部から水が靴１０の内部に入っても、容易に排水される。また、金属のメッシュであるため、岩や石その他の危険な異物が外部から侵入することもない。
【００１８】
なお、ここでメッシュは金属メッシュであると説明したが、強化プラスティック等の所定の強度を有する材料を使用できる。
【００１９】
次にメッシュ層１５について説明する。メッシュ層１５は、立体構造を有するナイロン製で、所定の厚さを有し、通気性とクッション性を備えている。メッシュ層１５が靴底１１の上に設けられているため、幼児が靴を履いて水の中に入っても、その後乾いた空間へ移動すれば、水はメッシュ層１５の所定の厚みを有する空間に入り、靴底１１に設けられたワイヤメッシュ２１、２２等から排出される。したがって、乾いた空間においては、幼児の足の裏はナイロンのメッシュ層１５の表面に接して、靴底１１の水に接触しない。したがって、幼児は不快感を感ずることなく水中と陸上とを交互に歩くことができる。
【００２０】
次に靴１０の中敷きについて説明する。図４は靴１０の内部に載置される中敷き３０を示す図であり、（Ａ）は表側（幼児の足が載置される側）を示し、（Ｂ）は裏側（メッシュ層１５に面する側）を示し（Ｃ）は図４（Ａ）におけるＣ−Ｃで示す部分の断面図である。中敷きは、ナイロンのような撥水性と復元力を有する材料で形成されるのが好ましい。
【００２１】
図４（Ｂ）を参照して、中敷き３０の裏面には、その周辺部を囲うように設けられた溝３２および横方向平行な複数の溝３３が設けられ、その溝に沿って複数の小さい貫通穴３１が設けられている。
【００２２】
図４（Ｃ）に示すように、中敷き３０は中央に凸状に膨らんで湾曲しており、幼児が足を中敷き３０の上に置くと凸状部は幼児の足によって押されて扁平となる。一方、幼児が足を上げると、幼児の体重が中敷き３０にかからないため、中敷きの復元力によって元の凸状に戻る。すなわち、この中敷き３０は、幼児がこれを靴１０の内部に載置した状態で歩くと、凸状と扁平形状を繰り返し、それによって、ポンプの作用を行い、メッシュ層１５のメッシュ空間に水が滞留していても、これを中敷き３０の凸状の裏面の凹部に集め、このポンプ作用で靴内部の水はワイヤメッシュ２１−２６を介して外部へ排出される。
【００２３】
また、中敷き３０の表面には、幼児の足の親指と親指に隣接する指との間に小さく隆起して延びている縦隆起部と、親指の付け根の下および隣接する指の付け根の下にまで延びている横隆起部とからなる逆Ｔ字形状の隆起部３４を備えている。
【００２４】
なお、中敷き３０には、幼児の足の土踏まずに当たる土踏まず用隆起部を有してもよい。そうすれば、この隆起部により土踏まずの形成が促進される。
【００２５】
以上のように、この実施の形態によれば、幼児は好きな水たまりへ安心して入って水遊びができるとともに、そのように楽しく遊びながら、正しい歩行が身に付くという効果が得られる。
【００２６】
なお、上記実施の形態では、幼児の靴の左足用についてのみ説明したが、右足用も同様である。
【００２７】
また、上記実施の形態では、靴底の一部にのみメッシュを設けた例について説明したが、これに限らず、全面をメッシュとしてもよい。
【００２８】
上記実施の形態においては、足の甲を覆う通常の靴について説明したが、これに限らず、スリッパの形状であってもよい。
【００２９】
また、上記実施の形態では、幼児の靴についてのみ説明したが、これに限らず、一般の大人の靴についても適用できるのはいうまでもない。
【００３０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３１】
この発明にかかる、靴は、靴底の一部にワイヤメッシュを設けたため、靴の内部へ水が入っても容易に排水されるため、水陸両用の靴として有利に利用される。
【図面の簡単な説明】
【００３２】
【図１】この発明の一実施の形態にかかる靴を示す斜視図である。
【図２】靴底の構成を示す図である。
【図３】靴底を外部から見た図である。
【図４】中敷きを示す図である。
【符号の説明】
【００３３】
１０  幼児用靴、１１靴底、１２  甲皮部、１３  舌片部、１４  側皮部、１５  メッシュ層、１７  接続バンド、２１−２６  ワイヤメッシュ。
【図１】
2005218523.tif 000003
【図２】
2005218523.tif 000004
【図３】
2005218523.tif 000005
【図４】
2005218523.tif 000006